(57)【要約】【課題】  ２個のコテによって毛髪を略均一な厚さに挾持することができ、毛髪を均一に加熱することができるヘアーアイロン装置を提供する。【解決手段】  揺動して開閉する第１コテ１・第２コテ２にて毛髪を挾持して毛髪をセットするヘアーアイロン本体３を有する。第１コテ１・第２コテ２の閉状態で相互に接近する対応面９，10に、相互に噛み合う多数のピラミッド状４角錐の小凸部11を配設する。【選択図】  図２
2005080850.tif 000002
【特許請求の範囲】
【請求項１】
揺動して開閉する第１コテ（１）・第２コテ（２）にて毛髪（Ｈ）を挾持して毛髪（Ｈ）をセットするヘアーアイロン本体（３）を有し、該第１コテ（１）・第２コテ（２）の閉状態で相互に接近する毛髪挾み用対応面（９）（10）に、相互に噛み合う多数の小凸部（11）を配設したことを特徴とするヘアーアイロン装置。
【請求項２】
小凸部（11）が角錐状である請求項１記載のヘアーアイロン装置。
【請求項３】
小凸部（11）がピラミッド状４角錐である請求項１記載のヘアーアイロン装置。
【請求項４】
第１コテ（１）・第２コテ（２）にて毛髪（Ｈ）を挾持して毛髪（Ｈ）をセットするヘアーアイロン本体（３）を有し、該ヘアーアイロン本体（３）は、上記第１コテ（１）・第２コテ（２）の各々に電気ヒータ（15）を内蔵し、さらに、上記第１コテ（１）から蒸気を噴出して、上記第２コテ（２）にて噴出したこの蒸気を吸引するように構成したことを特徴とするヘアーアイロン装置。
【請求項５】
第１コテ（１）・第２コテ（２）にて毛髪（Ｈ）を挾持して毛髪（Ｈ）をセットするヘアーアイロン本体（３）を有し、該第１コテ（１）・第２コテ（２）の閉状態で相互に接近する毛髪挾み用対応面（９）（10）に、相互に噛み合う多数の小凸部（11）を配設し、かつ、上記第１コテ（１）の上記対応面（９）には蒸気噴出孔（13）を配設し、さらに、上記第２コテ（２）の対応面（10）には蒸気吸引孔（14）を配設し、さらに、上記第１コテ（１）・第２コテ（２）の各々に電気ヒータ（15）を内蔵したことを特徴とするヘアーアイロン装置。
【請求項６】
上記両対応面（９）（10）を相互に近接させた上記閉状態で、上記両対応面（９）（10）に直交する方向から見て、上記蒸気噴出孔（13）と上記蒸気吸引孔（14）の位置をずらせて配設した請求項５記載のヘアーアイロン装置。
【請求項７】
第１コテ（１）を頭皮（Ｔ）側とし、第２コテ（２）を外方側として使用するようにした請求項４又は５記載のヘアーアイロン装置。
【請求項８】
小凸部（11）が角錐状である請求項５記載のヘアーアイロン装置。
【請求項９】
小凸部（11）がピラミッド状４角錐である請求項５記載のヘアーアイロン装置。
【請求項１０】
第１コテ（１）・第２コテ（２）の開状態では「閉」となり閉状態では「開」となる蒸気用バルブ（Ｖ1 ）を、ヘアーアイロン本体（３）に付設した請求項４，５又は６記載のヘアーアイロン装置。
【請求項１１】
第１コテ（１）・第２コテ（２）の開状態ではＯＦＦとなり閉状態ではＯＮとなる吸引用スイッチ（Ｓ1 ）を、ヘアーアイロン本体（３）に付設し、吸引用配管（７）にて上記ヘアーアイロン本体（３）と連通連結された吸引手段（Ｋ）を該吸引用スイッチ（Ｓ1 ）にてＯＮ・ＯＦＦさせるように構成した請求項４，５，６又は10記載のヘアーアイロン装置。
【請求項１２】
第１コテ（１）・第２コテ（２）の開状態では「閉」となり閉状態では「開」となる蒸気用バルブ（Ｖ1 ）を、ヘアーアイロン本体（３）に付設し、さらに、該蒸気用バルブ（Ｖ1 ）からのドレンをスチームトラップ（６）へ送るドレン配管（５）を備えた請求項11記載のヘアーアイロン装置。
【請求項１３】
第１コテ（１）・第２コテ（２）の開状態では「閉」となり閉状態では「開」となる蒸気用バルブ（Ｖ1 ）を、ヘアーアイロン本体（３）に付設し、さらに、該蒸気用バルブ（Ｖ1 ）からのドレンをボイラー（Ｂ）へ還流させるドレン配管（５）を備え、かつ、上記ボイラー（Ｂ）の蒸気を、上記ボイラー（Ｂ）と蒸気用バルブ（Ｖ1 ）とを接続する蒸気供給配管（４）を介して上記蒸気用バルブ（Ｖ1 ）へ供給するとともにドレン配管（５）を介して上記ボイラー（Ｂ）へ還流させる循環流を、上記蒸気用バルブ（Ｖ1 ）の「閉」の状態で常時行ない、さらに、該蒸気用バルブ（Ｖ1 ）の「開」の状態では、上記ボイラー（Ｂ）の蒸気を上記ヘアーアイロン本体（３）から噴出させるように構成した請求項11記載のヘアーアイロン装置。
【発明の詳細な説明】
【技術分野】
【０００１】
本発明は、業務用又は家庭用のヘアーアイロン装置に関する。
【背景技術】
【０００２】
一般に、ヘアーアイロンは、相互に揺動可能な（毛髪を挾圧する）２体のコテを有する。本発明者は既にそのような２体のコテを有し、蒸気のみにて毛髪をセットするヘアーアイロンを提案した（特許文献１参照）。
【特許文献１】特開２００２−２５３３２９
【発明の開示】
【発明が解決しようとする課題】
【０００３】
しかし、２体のコテの閉状態で相互に接近する対応面は、平面に形成されている。そして、２体のコテによって毛髪が不均一な厚さに挾持され易く、従って、加熱状態にムラが生じるという問題があった。
そこで、本発明は、毛髪を分散状に略均一な厚さに挾持することができ、毛髪を均一に加熱することができるヘアーアイロン装置を提供することを目的とする。また、毛髪を効率良く迅速に加熱できて、美しく毛髪をセットすることができるヘアーアイロン装置を提供することを、他の目的とする。
【課題を解決するための手段】
【０００４】
上述の目的を達成するために、本発明に係るヘアーアイロン装置は、揺動して開閉する第１コテ・第２コテにて毛髪を挾持して毛髪をセットするヘアーアイロン本体を有し、該第１コテ・第２コテの閉状態で相互に接近する毛髪挾み用対応面に、相互に噛み合う多数の小凸部を配設したものである。
【０００５】
また、小凸部が角錐状である。また、小凸部がピラミッド状４角錐である。
【０００６】
また、第１コテ・第２コテにて毛髪を挾持して毛髪をセットするヘアーアイロン本体を有し、該ヘアーアイロン本体は、上記第１コテ・第２コテの各々に電気ヒータを内蔵し、さらに、上記第１コテから蒸気を噴出して、上記第２コテにて噴出したこの蒸気を吸引するように構成したものである。
【０００７】
また、第１コテ・第２コテにて毛髪を挾持して毛髪をセットするヘアーアイロン本体を有し、該第１コテ・第２コテの閉状態で相互に接近する毛髪挾み用対応面に、相互に噛み合う多数の小凸部を配設し、かつ、上記第１コテの上記対応面には蒸気噴出孔を配設し、さらに、上記第２コテの対応面には蒸気吸引孔を配設し、さらに、上記第１コテ・第２コテの各々に電気ヒータを内蔵したものである。
【０００８】
また、上記両対応面を相互に近接させた上記閉状態で、上記両対応面に直交する方向から見て、上記蒸気噴出孔と上記蒸気吸引孔の位置をずらせて配設したものである。
【０００９】
また、第１コテを頭皮側とし、第２コテを外方側として使用するようにしたものである。
【００１０】
また、小凸部が角錐状である。また、小凸部がピラミッド状４角錐である。
【００１１】
また、第１コテ・第２コテの開状態では「閉」となり閉状態では「開」となる蒸気用バルブを、ヘアーアイロン本体に付設したものである。
【００１２】
第１コテ・第２コテの開状態ではＯＦＦとなり閉状態ではＯＮとなる吸引用スイッチを、ヘアーアイロン本体に付設し、吸引用配管にて上記ヘアーアイロン本体と連通連結された吸引手段を該吸引用スイッチにてＯＮ・ＯＦＦさせるように構成したものである。
【００１３】
また、第１コテ・第２コテの開状態では「閉」となり閉状態では「開」となる蒸気用バルブを、ヘアーアイロン本体に付設し、さらに、該蒸気用バルブからのドレンをスチームトラップへ送るドレン配管を備えたものである。
【００１４】
また、第１コテ・第２コテの開状態では「閉」となり閉状態では「開」となる蒸気用バルブを、ヘアーアイロン本体に付設し、さらに、該蒸気用バルブからのドレンをボイラーへ還流させるドレン配管を備え、かつ、上記ボイラーの蒸気を、上記ボイラーと蒸気用バルブとを接続する蒸気供給配管を介して上記蒸気用バルブへ供給するとともにドレン配管を介して上記ボイラーへ還流させる循環流を、上記蒸気用バルブの「閉」の状態で常時行ない、さらに、該蒸気用バルブの「開」の状態では、上記ボイラーの蒸気を上記ヘアーアイロン本体から噴出させるように構成したものである。
【発明の効果】
【００１５】
本発明のヘアーアイロン装置によれば、毛髪を自然に略均一な厚さに挾持することが容易であり、毛髪を均一に加熱することができる。また、熱効率が良く、コテの対応面から毛髪へ熱を伝え易い。また、使い勝手も良い。
【発明を実施するための最良の形態】
【００１６】
図１は、本発明に係るヘアーアイロン装置の第１の実施の形態の使用状態を示す。このヘアーアイロン装置は、毛髪Ｈを加熱して、毛髪Ｈをセットする（髪形を整える）。特に、毛髪Ｈをストレート状にするために用いられる。ヘアーアイロン装置は、揺動して開閉する金属製第１コテ１・第２コテ２で毛髪Ｈを挾持して毛髪Ｈをセットするヘアーアイロン本体３を有する。第１コテ１を頭皮Ｔ側とし、第２コテ２を外方側とする。
【００１７】
図２・図８・図９に示すように、第１コテ１・第２コテ２の開状態では「閉」となり、第１コテ１・第２コテ２の閉状態では「開」となる蒸気用バルブＶ1 が、ヘアーアイロン本体３に付設されている。第１コテ１・第２コテ２の開状態ではＯＦＦとなり、第１コテ１・第２コテ２の閉状態ではＯＮとなる吸引用スイッチＳ1 が、ヘアーアイロン本体３に付設されている。吸引用スイッチＳ1 は、例えばマイクロスイッチから成る。
【００１８】
図３に示すように、ボイラー（蒸気発生器）Ｂと蒸気用バルブＶ1 は、蒸気供給配管４にて接続されるとともに、ドレン配管５にて接続される。そして、ボイラーＢの蒸気を、蒸気供給配管４を介して蒸気用バルブＶ1 へ供給するとともにドレン配管５を介してボイラーＢへ還流させる循環流を、蒸気用バルブＶ1 の「閉」の状態で常時行なうように構成される。さらに、蒸気用バルブＶ1 の「開」の状態では、ボイラーＢの蒸気をヘアーアイロン本体３から噴出させるように構成される。ドレン配管５は、常に（すなわち、蒸気用バルブＶ1 の開閉状態にかかわらず）、蒸気用バルブＶ1 からのドレン（水）をボイラーＢへ還流させる（リターンＲ0 させる）。ドレン配管５は、ボイラーＢの近傍に於て、スチームトラップ６を有する。なお、所望により、スチームトラップ６から外部へ排出するようにしても良い。
【００１９】
吸引用配管７にてヘアーアイロン本体３と連通連結された吸引手段Ｋは、吸引用スイッチＳ1 にてＯＮ・ＯＦＦされるように構成されている。具体的には、吸引手段Ｋは、吸引ファン８と、吸引ファン８の駆動モータＭと、を有する。この吸引手段Ｋの吸引ファン８とヘアーアイロン本体３の第２コテ２とを吸引用配管７にて連通状に接続する。そして、吸引用スイッチＳ1 は、吸引ファン８の駆動モータＭと電気的に接続Ｃされ、吸引ファン８の駆動モータＭをＯＮ・ＯＦＦする。
【００２０】
図４は第１コテ１を示し、図５は第２コテ２を示す。図４〜図６に示すように、第１コテ１・第２コテ２の閉状態で相互に接近する対応面９，10に、相互に噛み合う多数の小凸部11が配設される。小凸部11は、例えば、ピラミッド状４角錐に形成される。第１コテ１・第２コテ２の閉状態に於て、第１コテ１の小凸部11ａと第２コテ２の小凸部11ｂとの間には、微小隙間12が形成されている。この微小隙間12に毛髪Ｈが挟まれる。この微小隙間12は、対応面９，10の（図示省略の）一部分が相互に当接することで形成される。
【００２１】
ヘアーアイロン本体３は、第１コテ１から蒸気を噴出して、第２コテ２にて噴出したこの蒸気を吸引するように構成されている。具体的には、第１コテ１の対応面９には蒸気噴出孔13が、多数の小凸部11ａの間に配設され、かつ、第２コテ２の対応面10には蒸気吸引孔14が、多数の小凸部11ｂの間に配設される。言い換えると、蒸気噴出孔13は、第１コテ１の対応面９幅方向の略中央部に所定ピッチにて開口しており、多数の小凸部11ａに包囲状に形成されている。また、蒸気吸引孔14は、第２コテ２の対応面10の幅方向の略中央部に所定ピッチにて開口しており、多数の小凸部11ｂに包囲状に形成されている。蒸気噴出孔13は、（後述の）蒸気供給配管20と連結されている。蒸気吸引孔14は、吸引用配管７（図３参照）と連結されている。
【００２２】
ところで、図11、及び、図２と図４と図５からも判るように、第１コテ１の対応面９と、第２コテ２の対応面10を相互に接近させた閉状態で、両対応面９，10に直交する方向から見て、蒸気噴出孔13と蒸気吸引孔14の位置をずらせて配設されている。図例では、左右幅方向の中央線に沿って所定ピッチで配設した蒸気噴出孔13と蒸気吸引孔14の長手方向位置をずらせて、図11のように、蒸気噴出孔13から出た蒸気は、隣り合う２個の蒸気吸引孔14，14へ分流してゆくようにする。このように構成すれば、対応面９，10にて挾持された毛髪に対して、蒸気が比較的長い秒時にわたって接触して、毛髪全体と均等に接触する（局部的な接触を防止できる）。
【００２３】
図６に示すように、蒸気噴出孔13の断面積Ａ1 は、蒸気吸引孔14の断面積Ａ2 よりも小さく設定される。蒸気噴出孔13から噴出した蒸気を、確実に蒸気吸引孔14へ吸引することができる。ヘアーアイロン本体３は、第１コテ１・第２コテ２の各々に電気ヒータ15ａ，15ｂを内蔵している。電気ヒータ15ａ，15ｂは、図示省略のサーミスタによって温度制御されている。電気ヒータ15ａ，15ｂによって、第１コテ１・第２コテ２は、常時、適温に温められている。28は第１コテ１を保持する第１コテホルダーを示し、29は第２コテ２を保持する第２コテホルダーを示す。そして、図２のように枢結軸31によって、第１コテ１と第２コテ２が揺動可能に枢結され、また、挾みバネ32によって、通常、第１コテ１と第２コテ２とは開状態に復元するように弾発的に付勢されている。
【００２４】
図７は蒸気用バルブＶ1 を示す。17は蒸気入口を示し、蒸気供給配管４（図３参照）と接続される。18は蒸気出口を示し、ドレン配管５と接続される。19は蒸気供給出口を示し、第１コテ１に蒸気を供給する蒸気供給配管20と接続される。
【００２５】
図８は蒸気用バルブＶ1 の「閉」の状態を示す。このとき、蒸気入口17（図７参照）から供給された蒸気は、蒸気室21を流通して蒸気出口18から排出される。そして、蒸気は、蒸気供給出口19へは排出されない。
【００２６】
22はスピンドル（弁体）23を上方向に弾発付勢するスプリングを示す。24はＯリングを示し、25は弁座を示す。26は逆止弁を示す。蒸気用バルブＶ1 の「閉」の状態では、スピンドル23は上方位置にあり、Ｏリング24と弁座25が密接して、蒸気入口17（図７参照）と蒸気供給出口19との間は遮断されている。このとき、蒸気入口17から蒸気用バルブＶ1 に流入した蒸気の圧力によって、逆止弁26が開き、蒸気供給配管４（図３参照）とドレン配管５とが連通状とされている。従って、この蒸気用バルブＶ1 は常に循環する蒸気によって温められており、スピンドル23を図９の矢印Ｅのように押圧して、急に「開」となったとき、水滴が第１コテ１の方へ送られることを防止している。
【００２７】
図９は蒸気用バルブＶ1 の「開」の状態を示す。このとき、蒸気入口17（図７参照）から供給された蒸気は、蒸気供給出口19へ送り出される。すなわち、蒸気は、第１コテ１（図３参照）に蒸気を供給する蒸気供給配管20へ送られる。
【００２８】
具体的には、図２に於て、手で握って、第２コテ２と第１コテ１とを矢印Ｅの方向に閉じてゆけば、突出子33がバルブＶ1 のスピンドル23を押圧して、このバルブＶ1 を「開」の状態とする。蒸気用バルブＶ1 の「開」の状態では、スピンドル23は下方位置にあり、Ｏリング24と弁座25が離間して、蒸気供給配管４と蒸気供給配管20とは連通状とされている。
【００２９】
図10は吸引手段Ｋ等の第２の実施の形態を示す。吸引用配管７は、電磁弁27を介して、吸引ファン８とヘアーアイロン本体３（図３参照）の第２コテ２とを接続Ｃする。吸引用スイッチＳ1 は、電磁弁27をＯＮ・ＯＦＦする。吸引ファン８は、吸引ファン８の駆動モータＭによって、常時、駆動されている。
【００３０】
次に、本発明のヘアーアイロン装置の作用について説明する。
第１コテ１・第２コテ２の開状態では、蒸気用バルブＶ1 は「閉」の状態であって、ボイラーＢからの蒸気は、順次、蒸気供給配管４、蒸気用バルブＶ1 、ドレン配管５とスチームトラップ６を流通して、ボイラーＢへ還流する（リターンＲ0 する）。このとき、バルブＶ1 の水滴は排出され続け、かつ、常時バルブＶ1 が温められる。そして、吸引用スイッチＳ1 はＯＦＦであって、第２コテ２からの吸引は行なわれない。
【００３１】
手で握って、第１コテ１・第２コテ２を閉状態とすれば、蒸気用バルブＶ1 は「開」の状態であって、かつ、吸引用スイッチＳ1 はＯＮであって、ボイラーＢからの蒸気は、順次、蒸気供給配管４、蒸気用バルブＶ1 、蒸気供給配管20、第１コテ１、第２コテ２、吸引用配管７、吸引ファン８を流通して、大気中へ放出される。第１コテ１・第２コテ２にて毛髪Ｈを挾持して、蒸気を当てるとともに加熱し、毛髪Ｈをストレート状とする。
【００３２】
本発明は、設計変更可能であって、例えば、小凸部11が６角錐や８角錐等の角錐状であっても良い。また、対応面９，10に多数の小凸部11を有するならば、蒸気のみにて加熱するタイプ（ヒーター省略タイプ）のものとするも、自由である。また、図３に於て、スチームトラップ６とボイラーＢとを接続しないで大気へ放出するも自由である。また、蒸気噴出孔13と蒸気吸引孔14の位置をずらせるために、一方を一列とし、他方を二列として配設したり、その他、色々の配置は自由に考えられる。
【００３３】
以上のように、本発明は、揺動して開閉する第１コテ１・第２コテ２にて毛髪Ｈを挾持して毛髪Ｈをセットするヘアーアイロン本体３を有し、第１コテ１・第２コテ２の閉状態で相互に接近する毛髪挾み用対応面９，10に、相互に噛み合う多数の小凸部11を配設したので、第１コテ１・第２コテ２によって毛髪Ｈを略均一な厚さに挾持して均一に加熱することができる。すなわち、毛髪Ｈを挾持すると自動的に対応面９，10の小凸部11によって毛髪Ｈが適量ずつ分散される。そして、毛髪Ｈの重なりが少なく、毛髪Ｈに熱及び蒸気を均一に当てることができる。また、毛髪Ｈが小凸部11の間を通るので、第１コテ１・第２コテ２との接触が多くなり、毛髪Ｈに与える熱効率が良くなる。さらに、毛髪Ｈが第１コテ１・第２コテ２の小凸部11の間を通るので、適度の張力が得られ、第１コテ１・第２コテ２にて強く挾持する必要がなく、ヘアーアイロン装置を使用する人（美容師、一般の人等）の労力を軽減することができる。
【００３４】
また、小凸部11が角錐状なので、毛髪Ｈをスムーズに適量ずつ分散させることができる。
また、小凸部11がピラミッド状４角錐なので、毛髪Ｈをスムーズに適量ずつ分散させることができる。小凸部11が６角錐や８角錐の場合と比較して、第１コテ１・第２コテ２を安価に製造することができる。
【００３５】
また、第１コテ１・第２コテ２にて毛髪Ｈを挾持して毛髪Ｈをセットするヘアーアイロン本体３を有し、ヘアーアイロン本体３は、第１コテ１・第２コテ２の各々に電気ヒータ15を内蔵し、さらに、第１コテ１から蒸気を噴出して、第２コテ２にて噴出したこの蒸気を吸引するように構成したので、常時第１コテ１・第２コテ２を適温に温めることができるとともに、毛髪Ｈを確実にセットすることができる。また、外部に蒸気が漏れないので、安全性が高い。
【００３６】
また、第１コテ１・第２コテ２にて毛髪Ｈを挾持して毛髪Ｈをセットするヘアーアイロン本体３を有し、第１コテ１・第２コテ２の閉状態で相互に接近する毛髪挾み用対応面９，10に、相互に噛み合う多数の小凸部11を配設し、かつ、第１コテ１の対応面９には蒸気噴出孔13を配設し、さらに、第２コテ２の対応面10には蒸気吸引孔14を配設し、さらに、第１コテ１・第２コテ２の各々に電気ヒータ15を内蔵したので、毛髪Ｈを挾持すると自動的に対応面９，10の小凸部11によって毛髪Ｈが適量ずつ分散され、毛髪Ｈに熱及び蒸気を均一に当てることができるとともに、毛髪Ｈが小凸部11の間を通るので、第１コテ１・第２コテ２との接触が多くなり、毛髪Ｈに与える熱効率が良くなる。また、常時第１コテ１・第２コテ２を適温に温めることができるとともに、毛髪Ｈを確実にセットすることができ、かつ、外部に蒸気が漏れないので、安全性が高い。
【００３７】
また、蒸気両対応面９，10を相互に近接させた上記閉状態で、両対応面９，10に直交する方向から見て、蒸気噴出孔13と蒸気吸引孔14の位置をずらせて配設したことにより、図11に示したように、蒸気噴出孔13から噴出した蒸気は、（直ちに蒸気吸引孔14に短い時間で吸込まれずに）比較的長い流路を通って、十分に毛髪Ｈと接触して毛髪Ｈを均等に加温・加熱しつつ、流れるので、毛髪Ｈのセットが均一化し、かつ、能率良くセット作業を行ない得る。
【００３８】
また、第１コテ１を頭皮Ｔ側とし、第２コテ２を外方側として使用するようにしたので、蒸気は頭皮Ｔから離れる方向へ噴出することとなって、蒸気が頭皮Ｔに当たり火傷をする虞れがなく、安全性が高い。
【００３９】
また、第１コテ１・第２コテ２の開状態では「閉」となり閉状態では「開」となる蒸気用バルブＶ1 を、ヘアーアイロン本体３に付設したので、第１コテ１・第２コテ２の開閉操作をするのみで蒸気を出したり止めたりすることができ、（別途スイッチをＯＮ・ＯＦＦさせる操作等の）特別な操作が不要であって、ヘアーアイロン装置を使用する人の手間と労力を最小限に押さえることができる。
【００４０】
また、第１コテ１・第２コテ２の開状態ではＯＦＦとなり閉状態ではＯＮとなる吸引用スイッチＳ1 を、ヘアーアイロン本体３に付設し、吸引用配管７にてヘアーアイロン本体３と連通連結された吸引手段Ｋを吸引用スイッチＳ1 にてＯＮ・ＯＦＦさせるように構成したので、バキュームが必要なときのみ確実に蒸気を吸引することができて、至便である。しかも、別途、スイッチを設けて、そのスイッチを操作する必要もなくなる。
【００４１】
また、第１コテ１・第２コテ２の開状態では「閉」となり閉状態では「開」となる蒸気用バルブＶ1 を、ヘアーアイロン本体３に付設し、さらに、蒸気用バルブＶ1 からのドレンをスチームトラップ６へ送るドレン配管５を備えたので、第１コテ１・第２コテ２の開閉操作をするのみで蒸気を出したり止めたりすることができ、特別な操作が不要であって、ヘアーアイロン装置を使用する人の手間と労力を最小限に押さえることができ、かつ、第１コテ１から噴出する蒸気に水滴が混ざる（すなわち、第１コテ１から水滴が飛び出す）のを防止することができる。
【００４２】
また、第１コテ１・第２コテ２の開状態では「閉」となり閉状態では「開」となる蒸気用バルブＶ1 を、ヘアーアイロン本体３に付設し、さらに、蒸気用バルブＶ1 からのドレンをボイラーＢへ還流させるドレン配管５を備え、かつ、ボイラーＢの蒸気を、ボイラーＢと蒸気用バルブＶ1 とを接続する蒸気供給配管４を介して蒸気用バルブＶ1 へ供給するとともにドレン配管５を介してボイラーＢへ還流させる循環流を、蒸気用バルブＶ1 の「閉」の状態で常時行ない、さらに、蒸気用バルブＶ1 の「開」の状態では、ボイラーＢの蒸気をヘアーアイロン本体３から噴出させるように構成したので、第１コテ１・第２コテ２の開閉状態によって、蒸気の流れを切り換えることができ、至便である。また、第１コテ１から水滴が飛び出すのを防止することができる。また、蒸気用バルブＶ1 には、常に蒸気が流通して蒸気用バルブＶ1 を温めているので、水蒸気が急冷により凝結するのを防止することができ、第１コテ１の蒸気噴出孔13から水滴が飛び出すといった不具合を防止できる。
【図面の簡単な説明】
【００４３】
【図１】本発明の第１の実施の形態の使用状態を示す説明図である。
【図２】ヘアーアイロン本体を示す一部断面正面図である。
【図３】構成説明図である。
【図４】第１コテを示す説明用斜視図である。
【図５】第２コテを示す説明用斜視図である。
【図６】使用説明も兼ねた要部拡大断面側面図である。
【図７】要部拡大平面図である。
【図８】要部拡大断面正面図である。
【図９】要部拡大断面正面図である。
【図１０】第２の実施の形態を示す構成説明図である。
【図１１】作用説明のための要部拡大断面図である。
【符号の説明】
【００４４】
１  第１コテ
２  第２コテ
３  ヘアーアイロン本体
４  蒸気供給配管
５  ドレン配管
６  スチームトラップ
７  吸引用配管
９  対応面
10  対応面
11  小凸部
13  蒸気噴出孔
14  蒸気吸引孔
15  電気ヒータ
Ｂ  ボイラー
Ｈ  毛髪
Ｋ  吸引手段
Ｓ1   吸引用スイッチ
Ｔ  頭皮
Ｖ1   蒸気用バルブ
【図１】
2005080850.tif 000003
【図２】
2005080850.tif 000004
【図３】
2005080850.tif 000005
【図４】
2005080850.tif 000006
【図５】
2005080850.tif 000007
【図６】
2005080850.tif 000008
【図７】
2005080850.tif 000009
【図８】
2005080850.tif 000010
【図９】
2005080850.tif 000011
【図１０】
2005080850.tif 000012
【図１１】
2005080850.tif 000013